(57)【要約】      （修正有）【課題】スマホの着信信号を振動を通して通知するスマホ着信通知バッグを提供する。【解決手段】バッグのハンドルまたはショルダーベルトの内部にスマホ着信通知装置１を設ける。スマホ着信通知装置は、電池２、バッグの中にあるスマホの着信信号を感知し、振動モーター５を駆動して通知するマザーボード及び、振動モーターと電池とマザーボードにそれぞれ接続する電線４を有する。マザーボードには、水晶発信機により感知されたスマホ着信信号を受信する近距離無線チップ、及びスマホ着信信号を感知して、その信号を近距離無線チップに送信する水晶発信機が取り付けられている。【選択図】図１
0003222375.tif 000002
【実用新案登録請求の範囲】
【請求項１】
スマホ着信通知バッグであって、その特長は、記述されるバッグのハンドルやショルダーベルトにおいて、バッグの中にあるスマホの着信信号を感知し、振動して注意させるスマホ着信注意装置（1）が取り付けられることになることであって、
このスマホ着信注意装置（1）においては、マザーボード（3）に給電する電池（2）、バッグの中にあるスマホの着信信号を感知し、モーター（5）を駆動して通知するマザーボード（3）、モーター（5）を駆動して、電池（4）とマザーボード（3）にそれぞれ接続する電線（4）、及びマザーボード（3）からのスマホ着信信号を受信して振動させる振動モーター（5）が取り付けられる。
【請求項２】
請求項１に記載のスマホ着信通知バッグであって、その特徴として、記述されたマザーボード（3）において、水晶発信機（302）より感知されたバッグの中のスマホ着信信号を受信するブルートゥースチップ（301）、バッグの中のスマホ着信信号を感知してから、その信号をブルートゥースチップ（301）に送信する水晶発信機（302）、ブルートゥースチップのプログラムを保存する不揮発性メモリ（303）、及びブルートゥースチップに給電するかどうかをコントロールする電源スイッチ（304）が取り付けられる。
【請求項３】
請求項１又は２に記載のスマホ着信通知バッグであって、その特徴として、記述された振動モーター（5）がバッグのハンドル或いはショルダーベルトに取り付けられる。
【請求項４】
請求項２に記載のスマホ着信通知バッグであって、その特徴として、記述されたマザーボード（3）において、ブルートゥースチップ（301）に接続する、ブルートゥースチップ（301）からの信号を受信し着信を点滅で通知するLedランプ（305）が取り付けられる。
【請求項５】
請求項４に記載のスマホ着信通知バッグであって、その特徴として、記述されたブルートゥースチップ（301）において、ミクロコントローラ（3014）の実行情報を保存するメモリー（3011）、受信装置/バロンフィルタ（3013）からの信号を受信し転換してからミクロコントローラ（3014）に送信するベースハンドチップ（3012）、水晶発信機（302）より感知されたバッグの中のスマホ着信信号を受信し処理してから、ベースハンドチップ（3012）に当該信号を送信する受信装置/バロンフィルタ（3013）、電源コントローラ（3015）と振動モーター（5）とI/Oインタフェース（3016）をコントロールして、ベースハンドチップ（3012）とI/Oインタフェース（3016）からの信号を受信し処理して、そして実行の同時に実行情報をメモリー（3011）に保存するミクロコントローラ（3014）、ミクロコントローラ（3014）と電源スイッチ（304）からのコントロール信号を受信して、電池（2）からブルートゥースチップ（301）への給電・電気切断並びに電圧と電路の大きさをコントロールする電源管理装置（3015）、及び不揮発性メモリ（303）とLedランプ（305）を接続するI/Oインタフェース（3016）が取り付けられる。
【請求項６】
請求項５に記載のスマホ着信通知バッグであって、その特徴として、記述されたマザーボード（3）において、外部キーボードがI/Oインタフェース（3016）を通してミクロコントローラ（3014）にコマンドを送信するキーボード入力インタフェース（306）も取り付けられる。
【請求項７】
請求項５に記載のスマホ着信通知バッグであって、その特徴として、記述されたマザーボード（3）において、シリアルデバイスに接続して、ミクロコントローラ（3014）から又はミクロコントローラ（3014）への信号を受送信するシリアルインタフェース（307）も取り付けられる。
【請求項８】
請求項５に記載のスマホ着信通知バッグであって、その特徴として、記述されたマザーボード（3）において、外部給電設備からブルートゥースチップ（301）に給電するとき使われ、電源管理装置（3015）にコントロールされる充電インタフェース（308）も取り付けられる。
【請求項９】
請求項２に記載のスマホ着信通知バッグであって、その特徴として、記述されたマザーボードにおいて、ミクロコントローラにGPS位置情報を提供するGPSロケータ（309）も取り付けられる。
【請求項１０】
請求項９に記載のスマホ着信通知バッグであって、その特徴として、記述されたマザーボードにおいて、GPSロケータ（309）からの位置情報を受信して、位置情報が警報器（310）の設定パラメータを超えたら警報する警報器（310）も取り付けられる。
【考案の詳細な説明】
【技術分野】
【０００１】
本考案はスマホ着信通知バッグ、特にブルートゥース登録商標着信通知機能付きのバッグに関わる。
【背景技術】
【０００２】
普通、人々は出かけるときスマホをリュックやバッグに入れることが多い。ただし、周辺がうるさいなどの原因で、大切な電話にで出なかったことがある。いま、スマホ着信通知機能がますます幅広く使われているが、まだまだ腕時計やスマートブレスレットにこだわりが見られる。また、外出ときリュックやバッグをなくしたら見つけられないことも消費者たちを困らせる。従って、外出ときに使いやすく、紛失しても探しやすく、スマホ着信通知機能があるバッグを提供するのは、目下の急務になっている。
【考案の概要】
【考案が解決しようとする課題】
【０００３】
既存のバッグにスマホ着信通知機能がないことを解決するために、本考案はスマホ着信通知機能のあるバッグを提供している。その特長は優れたスマホ着信通知機能を持って、バッグの概観に影響がなく、しかも使いやすい。
【課題を解決するための手段】
【０００４】
本考案の技術提案は下記のとおりである。
スマホに着信があったとき振動して通知することを実現するために、本申請はスマホ着信通知バッグのハンドルやリュックのショルダーベルトにおいて、バッグやリュックの中のスマホの着信信号を感知して、バッグやリュックを振動されることを通して通知する装置を取り付ける。
【０００５】
本スマホ着信通知装置においては、マザーボードに給電する電池、バッグの中にあるスマホの着信信号を感知し、モーターを駆動して通知するマザーボード、モーターを振動させ、電池とマザーボードにそれぞれ接続する電線、及びマザーボードからのスマホ着信信号を受信して振動させる振動モーターが取り付けられる。
スマホ着信通知装置の小型化、及びバッグの概観に影響を与えないために、記述されたマザーボードには、水晶発信機より感知されたバッグの中のスマホ着信信号を受信するブルートゥースチップ、バッグの中のスマホ着信信号を感知してから、その信号をブルートゥースチップに送信する水晶発信機、ブルートゥースチップのプログラムを保存する不揮発性メモリ、及びブルートゥースチップに給電するかどうかをコントロールする電源スイッチを取り付けている。
【０００６】
よりよい振動効果を得るために、記述された振動モーターをバッグが使われるとき持たれるハンドル或いはリュックが背負われるとき体との接触位置に取り付けている。
スマホ着信通知装置の作業状態を即時に了解するために、記述されたマザーボードには、ブルートゥースチップに接続する、ブルートゥースチップからの信号を受信し着信装置の作業状態を点滅で通知するLedランプを取り付けている。
【０００７】
スマホ着信通知装置の体積を小さくするために、メイン部品をブルートゥースチップの内部に集めている。記述されたブルートゥースチップには、ミクロコントローラの実行情報を保存するメモリー、受信装置/バロンフィルタからの信号を受信し転換してからミクロコントローラに送信するベースハンドチップ、水晶発信機より感知されたバッグの中のスマホ着信信号を受信し処理してから、ベースハンドチップに当該信号を送信する受信装置/バロンフィルタ、電源コントローラと振動モーターとI/Oインタフェースをコントロールして、ベースハンドチップとI/Oインタフェースからの信号を受信し処理して、そして実行の同時に実行情報をメモリーに保存するミクロコントローラ、ミクロコントローラと電源スイッチからのコントロール信号を受信して、電池からブルートゥースチップへの給電・電気切断並びに電圧と電路の大きさをコントロールする電源管理装置、及び不揮発性メモリとLedランプを接続するI/Oインタフェースを取り付けている。
【０００８】
充電の便利のため及び将来機能追加のために、記述されたマザーボードには、外部キーボードがI/Oインタフェースを通してミクロコントローラにコマンドを送信するキーボード入力インタフェース、シリアルデバイスに接続して、ミクロコントローラから又はミクロコントローラへの信号を受送信するシリアルインタフェース、外部給電設備よりブルートゥースチップに給電するとき使われ、電源管理装置にコントロールされる充電インタフェースも取り付けている。
バッグやリュックの位置を特定するために、記述されたマザーボードにはミクロコントローラにGPS位置情報を提供するGPSロケータも取り付けている。
バッグやリュックの紛失を防いだり、紛失したバッグやリュックを直ちに探し出したりするために、記述されたマザーボードにはGPSロケータからの位置情報を受信して、位置情報が警報器の設定パラメータを超えたら警報する警報器も取り付けている。
【０００９】
既存の技術に比べて、本新規考案は下記の特長がある。
1）本スマホ着信通知バッグやリュックは、ショルダーベルトやハンドルに本設備を取り付けたら、消費者が一番速い時間でスマホの着信が分かるので、スマホをバッグやリュックの中に入れたため電話に出なかったことを避けられる。
2）別に部品の増加は不必要で、バッグやリュックのもとの形にも影響せず、構造がコンパクトで使いやすい。
3）光の点滅で作業状態を提示して、使いやすい。
4）電池と充電両方を使うので、装置の正常作業を保障する。
5）警報器とGPSロケータを利用してバッグやリュックの位置情報を確保して、そして盗まれたらすぐ警報するので、安全で信頼できる。
【図面の簡単な説明】
【００１０】
【図１】本考案に記述されたスマホ着信通知バッグの実施例1の構造図
【図２】本考案に記述されたスマホ着信通知バッグの実施例2の構造図
【図３】本考案に記述されたスマホ着信通知バッグの実施例3の構造図
【図４】本考案に記述されたスマホ着信通知バッグのマザーボード構造図  番号説明は下記の通りである。
【符号の説明】
【００１１】
スマホ着信通知装置（1）、
電池（2）、
マザーボード（3）、
電線（4）、
振動モーター（5）、
ブルートゥースチップ（301）、
水晶発信機（302）、
不揮発性メモリ（303）、
電源スイッチ（304）、
Ledランプ（305）、
キーボード入力インタフェース（306）、
シリアルインタフェース（307）、
充電インタフェース（308）、
GPSロケータ（309）、
警報器（310）、
メモリー（3011）、
ベースハンドチップ（3012）、
受信装置/バロンフィルタ（3013）、
ミクロコントローラ（3014）、
電源管理装置（3015）、
I/Oインタフェース（3016）、
RAM30111、ROM30112。
【考案を実施するための形態】
【００１２】
説明書の添付図1〜4を参照して本考案の技術提案を下記の通り詳細に説明する。
【実施例１】
【００１３】
図1、4のとおり、本考案に記述されたスマホ着信通知バッグのハンドルの中には、バッグの中のマスホの着信信号を感知して、振動を通して通知する着信通知装置1が取り付けられている。着信通知装置1の位置は人がバッグを持つとき常に握られるハンドルのトップになる。
【００１４】
本スマホ着信通知装置1においては、マザーボード3に給電する電池2、バッグの中にあるスマホの着信信号を感知し、振動モーター5を駆動して通知するマザーボード3、モーター5を振動させ、電池4とマザーボード3にそれぞれ接続する電線4、及びマザーボード3からのスマホ着信信号を受信して振動させる振動モーター5が取り付けられる。
記述されたマザーボード3においては、水晶発信機302より感知されたバッグの中のスマホ着信信号を受信するブルートゥースチップ301、バッグの中のスマホ着信信号を感知してから、その信号をブルートゥースチップ301に送信する水晶発信機302、ブルートゥースチップのプログラムを保存する不揮発性メモリ303、及びブルートゥースチップに給電するかどうかをコントロールする電源スイッチ304が取り付けられる。
【００１５】
バッグのハンドルに取り付けられたスマホ着信通知装置は、水晶発信機よりバッグの中のスマホ着信信号を感知して、ブルートゥースチップの無線通信より振動モーターを駆動して、バッグを持つ消費者に知らせて、スマホ着信通知を果たす。また、本スマホ着信通知装置はバッグとの結合度が高く、優れた着信通知機能を保障すると同時に、バッグの元の形に影響がない。さらに、振動モータをある程度長さの電線を通してそれぞれ電池とマザーボードに接続して、振動モータと電池やマザーボードとの分離を実現して、電池とマザーボードの接続確率を低減したばかりではなく、その故障率も低減して、振動モータの振動効果を高められる。
【００１６】
記述されたマザーボード3においては、ブルートゥースチップ301に接続する、ブルートゥースチップ301からの信号を受信しスマホ着信装置1の作業状態を点滅で通知するLedランプ305も取り付けられる。
【００１７】
Ledランプはスマホ着信通知装置の作業状態を提示するものである。状態が接続中なら、赤と青いランプが点滅して、接続完了なら青いランプが遅いスピードで点滅する。
【００１８】
記述されたブルートゥースチップ301においては、ミクロコントローラ3014の実行情報を保存するメモリー3011、受信装置/バロンフィルタ3013からの信号を受信し転換してからミクロコントローラ3014に送信するベースハンドチップ3012、水晶発信機302より感知されたバッグの中のスマホ着信信号を受信し処理してから、ベースハンドチップ3012に当該信号を送信する受信装置/バロンフィルタ3013、電源コントローラ3015と振動モーター5とI/Oインタフェース3016をコントロールして、ベースハンドチップ3012とI/Oインタフェース3016からの信号を受信し処理して、そして実行の同時に実行情報をメモリー3011に保存するミクロコントローラ3014、ミクロコントローラ3014と電源スイッチ304からのコントロール信号を受信して、電池2からブルートゥースチップ301への給電・電気切断並びに電圧と電路の大きさをコントロールする電源管理装置3015、及び不揮発性メモリ303とLedランプ305を接続するI/Oインタフェース3016が取り付けられる。
【００１９】
記述されたスマホ着信通知装置がスマホのブルートゥースに接続したら、低電力消費の待機状態に入る。マスホに電話が入ったら、水晶発信機よりこの信号を受信して、相次いで受信装置/バロンフィルタ、ベースハンドチップを通して情報をミクロコントローラに発送する。ミクロコントローラより信号を処理してから振動モータを駆動すると同時に、Ledランプを点滅させる。電話にでたら、ブルートゥースはオーディオの優先順位をスマホに転換して、スマホのオーディオの正常使用を妨害しないようにする。このブルートゥースチップには電源管理機能が入っているため、このインターフェンスを通して電源管理をして、電池と充電口に接続する。すべてのブルートゥースチップのプログラムが不揮発性メモリEEPROMの中に保存される。
【００２０】
上記のマザーボード3においては、キーボードに接続する、I/Oインタフェース3016を通してミクロコントローラ3014にコマンドを送信するキーボード入力インタフェース306、シリアルデバイスに接続して、ミクロコントローラ3014から又はミクロコントローラ3014への信号を受送信するシリアルインタフェース307、外部の給電設備からブルートゥースチップ301に給電するとき使われ、電源管理装置3015にコントロールされる充電インタフェース308も取り付けられる。
【００２１】
充電及び将来機能追加のために、複数種類のインタフェースを設置しておる。記述されたメモリ3011には、RAM30111とROM30112がある。記述されたマザーボードにはミクロコントローラにGPS位置情報を提供するGPSロケータ309も取り付けられる。バッグの位置を監視するので、紛失を防ぐ。記述されたマザーボードにはGPSロケータ309からの位置情報を受信して、位置情報が警報器の設定パラメータ310を超えたら警報する警報器310も取り付けられる。
【実施例２】
【００２２】
図のように、実施1との違いは、記述されたスマホ着信通知装置1がリュックのショルダーの中、特に使われるとき体との接触位置に優先に取り付けられる。
【実施例３】
【００２３】
図のように、実施1との違いは、記述されたスマホ着信通知装置1がトランクのハンドルの中、特に使われるときよく握られる場所に優先に取り付けられる。
本考案に記述されたスマホ着信通知機能付きのバッグ（リュック、トランク）は上記の実施例にこだわらず、本考案に基く改造や取替えが、すべて本考案の保護範囲に属す。
【図１】
0003222375.tif 000003
【図２】
0003222375.tif 000004
【図３】
0003222375.tif 000005
【図４】
0003222375.tif 000006
【手続補正書】
【提出日】令和1年5月28日(2019.5.28)
【手続補正１】
【補正対象書類名】実用新案登録請求の範囲
【補正対象項目名】全文
【補正方法】変更
【補正の内容】
【実用新案登録請求の範囲】
【請求項１】
バッグのハンドルやショルダーベルトにおいて、バッグの中にあるスマホの着信信号を感知し、振動して注意させるスマホ着信注意装置（1）が取り付けられ、
前記スマホ着信注意装置（1）において、マザーボード（3）に給電する電池（2）、バッグの中にあるスマホの着信信号を感知し、モーター（5）を駆動して通知するマザーボード（3）、モーター（5）を駆動して、電池（2）とマザーボード（3）にそれぞれ接続する電線（4）、及びマザーボード（3）からのスマホ着信信号を受信して振動させる振動モーター（5）が取り付けられることを特徴とする、スマホ着信通知バッグ。
【請求項２】
前記マザーボード（3）において、水晶発信機（302）より感知されたバッグの中のスマホ着信信号を受信するブルートゥース（登録商標：以下同じ）チップ（301）、バッグの中のスマホ着信信号を感知してから、その信号をブルートゥースチップ（301）に送信する水晶発信機（302）、ブルートゥースチップのプログラムを保存する不揮発性メモリ（303）、及びブルートゥースチップに給電するかどうかをコントロールする電源スイッチ（304）が取り付けられることを特徴とする、請求項１に記載のスマホ着信通知バッグ。
【請求項３】
前記振動モーター（5）がバッグのハンドルまたはショルダーベルトに取り付けられることを特徴とする、請求項１又は２に記載のスマホ着信通知バッグ。
【請求項４】
前記マザーボード（3）において、ブルートゥースチップ（301）に接続する、ブルートゥースチップ（301）からの信号を受信し着信を点滅で通知するLedランプ（305）が取り付けられることを特徴とする、請求項２に記載のスマホ着信通知バッグ。
【請求項５】
前記ブルートゥースチップ（301）において、ミクロコントローラ（3014）の実行情報を保存するメモリー（3011）、受信装置/バロンフィルタ（3013）からの信号を受信し転換してからミクロコントローラ（3014）に送信するベースハンドチップ（3012）、水晶発信機（302）より感知されたバッグの中のスマホ着信信号を受信し処理してから、ベースハンドチップ（3012）に当該信号を送信する受信装置/バロンフィルタ（3013）、電源コントローラ（3015）と振動モーター（5）とI/Oインタフェース（3016）をコントロールして、ベースハンドチップ（3012）とI/Oインタフェース（3016）からの信号を受信し処理して、そして実行の同時に実行情報をメモリー（3011）に保存するミクロコントローラ（3014）、ミクロコントローラ（3014）と電源スイッチ（304）からのコントロール信号を受信して、電池（2）からブルートゥースチップ（301）への給電・電気切断並びに電圧と電路の大きさをコントロールする電源管理装置（3015）、及び不揮発性メモリ（303）とLedランプ（305）を接続するI/Oインタフェース（3016）が取り付けられることを特徴とする、請求項４に記載のスマホ着信通知バッグ。
【請求項６】
前記マザーボード（3）において、外部キーボードがI/Oインタフェース（3016）を通してミクロコントローラ（3014）にコマンドを送信するキーボード入力インタフェース（306）も取り付けられることを特徴とする、請求項５に記載のスマホ着信通知バッグ。
【請求項７】
前記マザーボード（3）において、シリアルデバイスに接続して、ミクロコントローラ（3014）から又はミクロコントローラ（3014）への信号を受送信するシリアルインタフェース（307）も取り付けられることを特徴とする、請求項５に記載のスマホ着信通知バッグ。
【請求項８】
前記マザーボード（3）において、外部給電設備からブルートゥースチップ（301）に給電するとき使われ、電源管理装置（3015）にコントロールされる充電インタフェース（308）も取り付けられることを特徴とする、請求項５に記載のスマホ着信通知バッグ。
【請求項９】
前記マザーボード（3）において、ミクロコントローラにGPS位置情報を提供するGPSロケータ（309）も取り付けられることを特徴とする、請求項２に記載のスマホ着信通知バッグ。
【請求項１０】
前記マザーボード（3）において、GPSロケータ（309）からの位置情報を受信して、位置情報が警報器（310）の設定パラメータを超えたら警報する警報器（310）も取り付けられることを特徴とする、請求項９に記載のスマホ着信通知バッグ。